(57)【要約】【課題】小袋等の商品である収納物を差し込み可能に形成され、作業工数が掛からず、確実に収納物を保持可能な包装体を提供する。【解決手段】紙や樹脂等のシート１４を折り畳んで、その内側に薄い収納物である小袋１２を収容する。シート１４を折り畳んで形成した折り目１６と、折り畳んだシート１２の側片１４ａに形成され折り目１６に小袋１２が当接可能に形成され、小袋１２の幅より僅かに長い切り込みから成る差し込み口１８を備える。小袋１２の一端部が折り目１６に当接し、この折り目１６に当接した小袋１２の端部とは反対側の他端部が係合する押さえ片２０を、側片１４ａに備える。シート１４の折り目１６と押さえ片２０との間隔は、収納物である小袋１２の一方向の長さにほぼ等しい。【選択図】図１
2008081134.tif 000002
【特許請求の範囲】
【請求項１】
シートを折り畳んでその内側に薄い収納物を収容する包装体において、前記シートを折り畳んで形成した折り目と、この折り畳んだシートの側片に形成され前記折り目に収納物が当接可能に形成され前記収納物の幅より僅かに長い切り込みから成る差し込み口と、前記収納物の一端部が前記折り目に当接しこの折り目に当接した前記収納物の端部とは反対側の他端部が係合する押さえ部を前記シートの側片に備え、前記シートの前記折り目と前記押さえ部との間隔は、前記収納物の一方向の長さにほぼ等しく形成されたことを特徴とする包装体。
【請求項２】
前記差し込み口は複数設けられ、前記シートの前記折り目に対して、互いに干渉しないように傾斜した切り込みから成ることを特徴とする請求項１記載の包装体。
【請求項３】
前記押さえ部は、前記シートの側片が曲線状に切り込まれて形成された押さえ片であることを特徴とする請求項１または２記載の包装体。
【請求項４】
前記押さえ部は、前記シートの側片と中央片間の折り目であることを特徴とする請求項１または２記載の包装体。
【請求項５】
前記押さえ部は、前記シートの側片の端縁を折り返して形成された押さえ片であることを特徴とする請求項１または２記載の包装体。
【請求項６】
前記押さえ部は、前記シートの側片に形成され差し込み口と一対に設けられ、前記収納物の角部を差し込む押さえ用切り込みであることを特徴とする請求項１または２記載の包装体。
【請求項７】
前記押さえ部は、前記シートの側片に形成され差し込み口と一対に設けられ、前記側片の端縁部に形成されたフラップ状の押さえ片であることを特徴とする請求項１または２記載の包装体。
【発明の詳細な説明】
【技術分野】
【０００１】
この発明は、カードや薄い袋状の薬品または化粧品などの商品を収納可能に形成された包装体に関する。
【背景技術】
【０００２】
従来、薬品及び化粧品のサンプルなどの小袋の商品や、その他の薄い形状の商品を配布する際に、商品の広告や説明などが記載された紙片に商品を貼付したり、三つ折りにされた紙製のシートの中央部または見開きのどちらか一方に、両面テープを用いて貼り付けたりしていた。また、紙片を簡単に保持する構造として、特許文献１に開示されているように、三つ折りにされた段ボールの中央片に陶板を貼り付け、一方の折り畳み片の内面の二隅に円弧状の切り込みをいれて、メッセージが記載された電報を挟み込み、両側から折り畳んで包装する包装体が開示されている。
【特許文献１】特開２００１−１６３３８６号公報
【発明の開示】
【発明が解決しようとする課題】
【０００３】
上記従来の技術では、両面テープを適宜な長さに切断して小袋に貼り付け、紙片に貼付するため、作業に工数が掛かるものであった。また、特許文献１に開示された構造では、側片に設けた切り込みには、祝電などのメッセージが記載された紙片を差し込み可能であるが、保持力が弱く傾いたりして外れやすく、安定に取り付けることができないものである。
【０００４】
この発明は、上記従来技術の問題に鑑みて成されたもので、小袋等の商品である収納物を差し込み可能に形成され、作業工数が掛からず、確実に収納物を保持可能な包装体を提供することを目的とする。
【課題を解決するための手段】
【０００５】
この発明は、紙や樹脂等のシートを折り畳んでその内側に薄い収納物を収容する包装体であって、前記シートを折り畳んで形成した折り目と、この折り畳んだシートの側片に形成され前記折り目に収納物が当接可能に形成され前記収納物の幅より僅かに長い切り込みから成る差し込み口と、前記収納物の一端部が前記折り目に当接しこの折り目に当接した前記収納物の端部とは反対側の他端部が係合する押さえ部を前記シートの側片に備え、前記シートの前記折り目と前記押さえ部との間隔は、前記収納物の一方向の長さにほぼ等しく形成された包装体である。前記差し込み口は複数設けられ、前記シートの前記折り目に対して、互いに干渉しないように傾斜した切り込みから成る。
【０００６】
また、前記押さえ部は、前記シートの側片に曲線状に切り込まれて形成された押さえ片である。または、前記押さえ部は、前記シートの側片の端縁を折り返して形成された押さえ片である。
【０００７】
さらに、前記押さえ部は、前記シートの側片に形成され差し込み口と一対に設けられ、前記収納物の角部を差し込む押さえ用切り込みや、前記側片の端縁部に形成されたフラップ状の押さえ片でも良い。
【発明の効果】
【０００８】
この発明の包装体によれば、カードや小袋等の収納物を簡単に差し込み可能に形成され、収納物を保持させるための作業工数が掛からない上、構成が簡単でありコストも掛からず確実に収納物を保持可能なものである。
【発明を実施するための最良の形態】
【０００９】
以下、この発明の包装体の第一実施形態について、図１〜図３を基にして説明する。この実施形態の包装体１０は、薬品または化粧品のサンプル品である小袋１２や、その他薄い形状の商品を包装するものである。包装体１０は、図１に示すように、矩形に形成された紙や樹脂などから成るシート１４を三つ折りにし、その一方の側片１４ａには、図２に示すように、折り目１６に対して傾斜したスリット状の切り込みである差し込み口１８が、等間隔で平行に複数設けられている。この差し込み口１８は、小袋１２を差し込んだ際に、小袋１２の短辺の長さに対して僅かに遊びを有する長さに形成され、互いに交差して干渉しないように傾斜している。
【００１０】
各差し込み口１８から適宜の間隔を空けた対向位置に、シート１４の側片１４ａに半円形の切り込みが施されて、押さえ部である押さえ片２０が各々設けられている。押さえ片２０の切り込みの両端部の位置は、押さえ片２０からシート１４の一方の側片１４ａと中央片１４ｂ間の折り目１６までの間隔が、収納する小袋１２の長辺の長さにほぼ等しくなるようにする。また、三つ折りのシート１４を開いた各側片１４ａ，１４ｃ及び中央片１４ｂの内面には、差し込み口１８に差しこまれる商品の説明や広告が記載され、反対の外面にも、商品名や商品の説明などが記載されている。
【００１１】
次に、この実施形態の使用方法について説明する。図２、図３に示すように、三つ折りにされたシート１４の、差し込み口１８及び押さえ片２０が設けられた側片１４ａを、中央片１４ｂに重なるように折り曲げる。そして、側片１４ａに設けられた各差し込み口１８に、図１に示すように、小袋１２の長手方向の一方の端辺を各々差し込む。このとき、差し込んだ小袋１２の端辺が、シート１４の折り目１６に当接するまで押し込む。そして、差し込んだ小袋１２の端辺に対向する他方の端辺の角部近傍を、押さえ片２０の下方へ挟み込む。すると、各小袋１２は、差し込み口１８及び押さえ片２０に各々支持され、シート１４により包装される。
【００１２】
この実施形態の包装体１０によれば、シート１４に設けられた差し込み口１８に小袋１２を挿入し、小袋１２の端辺を折り目１６に当接させ、他方の端辺の一方の角部近傍を押さえ片２０に挟み込ませるだけで、安定に正確に位置決めされる。さらに、容易に収納可能なため、収納作業に工数が掛からないものである。また、差し込み口１８に差し込まれた小袋１２は、左右方向の動きがシート１４の折り目１６及び押さえ片２０に規制され、上下方向の動きは、差し込み口１８により規制されるため、確実にシート１４により保持されるものである。さらに、差し込み口１８が互いに干渉しないように傾斜して設けられているため、例えば５本等の多数の差し込み口１８を形成することもでき、より多くの小袋１２を収納することができる。
【００１３】
次に、この発明の第二実施形態について、図４に基づいて説明する。なお、ここで、上記実施形態と同様の部材は、同一の符号を付して説明を省略する。この実施形態の包装体２０は、三つ折りに形成されたシート１４の他方の側片１４ｃが、折り目１６と平行な端縁から所定位置で内側へ折り曲げられ、端縁部が側片１４ｃの内面に貼り付けられている。側片１４ｃが折り曲げられた折り目１７と、中央片１４ｂとの間の折り目１６との間隔が、収納する小袋１４の長辺の長さと等しい。
【００１４】
折り曲げて貼り付けられた側片１４ｃには、両端が僅かに湾曲した３つの差し込み口１８が、長手方向へ所定間隔で縦に各々設けられている。各差し込み口１８には、小袋１２を長手方向に差し込み可能に形成され、差し込んだ小袋１２の一端辺がシート１４の折り目１７に当接し、他方の端辺が押さえ部として機能する折り目１６に接するように形成されている。また、シート１４の側片１４ａも折り返され、折り返した側片１４ａの端縁が、中央片１４ｂの中央付近に位置するように形成されている。
【００１５】
この実施形態の包装体２２によれば、上記実施形態と同様の効果を得ることができ、さらに、シート１４の折り畳み状態で差し込み口１８と折り目１６，１７により小袋１２が確実に保持され、シート１４を開いた状態では容易に小袋１２を抜き取ることができるものである。
【００１６】
次に、この発明の第三実施形態について、図５に基づいて説明する。なお、ここで、上記実施形態と同様の部材は、同一の符号を付して説明を省略する。この実施形態の包装体２４は、三つ折りに形成されたシート１４の側片１４ｃに、長手方向に直線状で小袋１２より僅かに長く開口したスリット状の３つの差し込み口１８が、所定間隔で各々設けられている。また、側片１４ｃの端縁は、折り目１９で外側へ折り曲げられ、押さえ部としての押さえ片２１が形成されている。側片１４ｃの折り目１６，１９間の間隔は、小袋１２の長辺の長さにほぼ等しい。そして、この側片１４ｃが中央片１４ｂに重なるように折り目１６に沿って折り曲げられ、差し込み口１８に小袋１２を各々差し込み可能となる。この状態で、小袋１２の一方の端辺が側片１４ｃの折り目１６に当接するまで押し込むと、ちょうど、小袋１２の他方の端辺が、押さえ片２１の折り目１９に一致した状態になる。
【００１７】
この実施形態の包装体２４によれば、上記実施形態と同様の効果を得ることができ、さらに、差し込み口１８へ差し込まれた複数の小袋１２の露出した端辺を押さえ片２１により一緒に支持し、両端辺が折り目１６，１９に当接すれるため、確実に保持されるものである。
【００１８】
次に、この発明の第四実施形態について、図６に基づいて説明する。なお、ここで、上記実施形態と同様の部材は、同一の符号を付して説明を省略する。この実施形態の包装体２６は、三つ折りに形成されたシート１４の一方の側片１４ａに、スリット状の差し込み口１８と押さえ部である押さえ用切り込み２３が互いに対向して３対設けられている。差し込み口１８は、側片１４ａと中央片１４ｂとの折り目１６の近傍に位置し、互いに平行に干渉しないように傾斜している。また、押さえ用切り込み２３は、小袋１２の短辺より短く、折り目１６に対して僅かに傾斜して形成されている。側片１４ａと中央片１４ｂとの折り目１６から押さえ用切り込み２３までの間隔は、小袋１２の長辺の長さとほぼ等しい。差し込み口１８は、差し込まれる小袋１２の短辺より僅かに長く形成され、差し込み口１８の両端は、差し込む小袋１２方向へ屈曲している。また、押さえ用切り込み２３の下側の屈曲部近傍には、小袋１２の角部の差し込み方向へ僅かな長さの切り込み部２３ａが各々設けられている。
【００１９】
この実施形態の包装体２６によれば、上記実施形態と同様の効果を得ることができ、さらに、差し込み口１８と押さえ用切り込み２３へ、小袋１２の対角に位置する角部を差し込むだけで、簡単に小袋１２を保持することができる。また、押さえ用切り込み２３に設けられた切り込み部２３ａにより、小袋１２の端部を差し込み口１８に差し込んだ後に、他方の角部を容易に差し込むことができる。
【００２０】
次に、この発明の第五実施形態について、図７に基づいて説明する。なお、ここで、上記実施形態と同様の部材は、同一の符号を付して説明を省略する。この実施形態の包装体２８は、三つ折りに形成されたシート１２の一方の側片１４ａが、中央片１４ｂの短手方向の約１／３付近に側片１４ａの端縁が位置するように形成され、端縁部が中央片１４ｂの内面に貼り付けられている。その側片１４ａの折り目１６近傍には、スリット状の３つの差し込み口１８が、所定間隔で各々設けられている。差し込み口１８は、収容する小袋１２の長辺の長さとほぼ等しく、互いに交差して干渉しないように傾斜して湾曲している。側片１４ａの端縁には、小袋１２の長辺より僅かに短い等間隔で、同形で略円弧状のフラップ状の押さえ片２５が、各差し込み口１８に対向する位置に突設されている。押さえ片２５は、折り曲げ可能に各々設けられている。
【００２１】
この実施形態の包装体２８によれば、上記実施形態と同様の効果を得ることができる。さらに、押さえ片２５を小袋１２側へ容易に折り曲げ可能なため、収納作業が容易であるとともに、簡単に小袋１２を取り出すことができ、使いやすいものである。また、各小袋１２の近傍には、メモを記入する記入欄等を設けてもよい。この際、差し込み口１８に差し込んだ薬品の判定結果など記載すると、一目で判定結果を確認でき、使い勝手がよいものである。
【００２２】
なお、この発明の包装体は上記実施形態に限定されるものではなく、差し込み口は、小袋などの商品が差し込み可能に形成されていればよいため、差し込み口の切り込み形状や大きさは、差し込む商品に合わせて適宜設定可能なものである。また、押さえ部は、差し込み口に差し込まれた小袋等の収納品の端部を狭持可能に形成されていればよいため、１つの収納品に対して、複数の押さえ片を設けてもよく、大きさや形状などは適宜設定可能なものである。
【００２３】
また、シートの素材は、三つ折りなどに折り曲げ可能な素材であれば適宜選択可能であり、各部材の形状や素材など適宜変更可能である。
【図面の簡単な説明】
【００２４】
【図１】この発明の第一実施形態の包装体に小袋を差し込こんだ状態示す斜視図である。
【図２】この実施形態の包装体の片側を開いた状態を示す斜視図である。
【図３】この実施形態の包装体を開いた状態を示す斜視図である。
【図４】この発明の第二実施形態の包装体に小袋を差し込んだ状態を示す斜視図である。
【図５】この発明の第三実施形態の包装体に小袋を差し込こんだ状態示す斜視図である。
【図６】この発明の第四実施形態の包装体に小袋を差し込こんだ状態示す斜視図である。
【図７】この発明の第五実施形態の包装体に小袋を差し込こんだ状態示す斜視図である。
【符号の説明】
【００２５】
１０  包装体
１２  小袋
１４  シート
１４ａ、１４ｃ  側片
１４ｂ  中央片
１６  折り目
１８  差し込み口
２０  押さえ片
【図１】
2008081134.tif 000003
【図２】
2008081134.tif 000004
【図３】
2008081134.tif 000005
【図４】
2008081134.tif 000006
【図５】
2008081134.tif 000007
【図６】
2008081134.tif 000008
【図７】
2008081134.tif 000009